(57)【要約】【課題】  リモートコントローラ端末装置は、最短の待ち時間でターゲット端末装置に要求を実行させることができる通信システム、リモートコントローラ端末装置及びターゲット端末装置を提供する。【解決手段】  ターゲット端末装置２は、リモートコントローラ端末装置（移動通信端末装置１）から送信された要求を受信した後、次に異なる要求の受信が可能となるまでの時間、または、受信された要求に対する応答を送信するまでの時間を送信し、リモートコントローラ端末装置は、それらの時間を参照して次の要求を送信するか否かを決定する。【選択図】  図１
2006238177.tif 000002
【特許請求の範囲】
【請求項１】
ターゲット端末装置と、前記ターゲット端末装置を制御するリモートコントローラ端末装置とが通信回線を介して接続された通信システムであって、
前記ターゲット端末装置は、
前記リモートコントローラ端末装置から送信された制御要求を受信する要求受信手段と、
前記要求受信手段によって受信された制御要求に従った制御動作を行って待機時間が含まれた応答を作成する制御処理手段と、
前記制御処理手段によって作成された応答を前記リモートコントローラ端末装置に送信する応答送信手段とを有し、
前記リモートコントローラ端末装置は、
前記制御要求を前記ターゲット端末装置に送信する要求送信手段と、
前記ターゲット端末装置から送信された待機時間が含まれた応答を受信する応答受信手段と、
前記応答受信手段によって応答が受信された時刻に前記応答受信手段によって受信された待機時間を加算した時刻以後、前記制御要求を前記ターゲット端末装置に送信する制御を行う要求制御手段とを有する
ことを特徴とする通信システム。
【請求項２】
ターゲット端末装置と、前記ターゲット端末装置を制御するリモートコントローラ端末装置とが通信回線を介して接続された通信システムであって、
前記ターゲット端末装置は、
前記リモートコントローラ端末装置から送信された制御要求を受信する要求受信手段と、
前記要求受信手段によって受信された制御要求に従った制御動作を行い、かつ、前記制御動作に依存する時間が有効期限として含まれた第１の応答を作成し、かつ、第２の応答を作成する制御処理手段と、
前記制御処理手段によって作成された第１の応答を前記リモートコントローラ端末装置に送信する第１の応答送信手段と、
前記制御処理手段によって作成された第２の応答を前記リモートコントローラ端末装置に送信する第２の応答送信手段とを有し、
前記リモートコントローラ端末装置は、
前記制御要求を前記ターゲット端末装置に送信する要求送信手段と、
前記ターゲット端末装置から送信された有効期限が含まれた第１の応答を受信する第１の応答受信手段と、
前記ターゲット端末装置から送信された第２の応答を受信する第２の応答受信手段と、
前記第１の応答受信手段によって第１の応答が受信された時刻に前記第１の応答受信手段によって受信された有効期限を加算した時刻までに、前記第２の応答受信手段によって前記ターゲット端末装置から送信された第２の応答が受信された場合、前記制御要求は有効であると判断する要求制御手段とを有する
ことを特徴とする通信システム。
【請求項３】
ターゲット端末装置と、前記ターゲット端末装置を制御するリモートコントローラ端末装置とが通信回線を介して接続された通信システムであって、
前記ターゲット端末装置は、
前記リモートコントローラ端末装置から送信された有効期限が含まれた制御要求を受信する要求受信手段と、
前記要求受信手段によって受信された制御要求に従った制御動作を前記要求受信手段によって受信された有効期限以内の所要時間で行い、かつ、前記有効期限内の所要時間で前記制御動作を行う旨の情報が含まれた第１の応答を作成し、かつ、第２の応答を作成する制御処理手段と、
前記制御処理手段によって作成された第１の応答を前記リモートコントローラ端末装置に送信する第１の応答送信手段と、
前記制御処理手段によって作成された第２の応答を前記リモートコントローラ端末装置に送信する第２の応答送信手段とを有し、
前記リモートコントローラ端末装置は、
前記有効期限が含まれた制御要求を前記ターゲット端末装置に送信する要求送信手段と、
前記ターゲット端末装置から送信された有効期限内の所要時間で前記制御動作を行う旨の情報が含まれた第１の応答を受信する第１の応答受信手段と、
前記ターゲット端末装置から送信された第２の応答を受信する第２の応答受信手段と、
前記第１の応答受信手段によって第１の応答が受信された時刻に前記有効期限を加算した時刻までに、前記第２の応答受信手段によって前記ターゲット端末装置から送信された第２の応答が受信された場合、前記制御要求は有効であると判断する要求制御手段とを有する
ことを特徴とする通信システム。
【請求項４】
制御要求を受信し、その制御要求に従った制御動作を行って待機時間が含まれた応答を送信するターゲット端末装置と通信回線を介して接続されたリモートコントローラ端末装置であって、
前記制御要求を前記ターゲット端末装置に送信する要求送信手段と、
前記ターゲット端末装置から送信された待機時間が含まれた応答を受信する応答受信手段と、
前記応答受信手段によって応答が受信された時刻に前記応答受信手段によって受信された待機時間を加算した時刻以後、前記制御要求を前記ターゲット端末装置に送信する制御を行う要求制御手段とを有する
ことを特徴とするリモートコントローラ端末装置。
【請求項５】
制御要求を受信し、その制御要求に従った制御動作を行い、有効期限が含まれた第１の応答を送信し、第２の応答を送信するターゲット端末装置と通信回線を介して接続されたリモートコントローラ端末装置であって、
前記制御要求を前記ターゲット端末装置に送信する要求送信手段と、
前記ターゲット端末装置から送信された有効期限が含まれた第１の応答を受信する第１の応答受信手段と、
前記ターゲット端末装置から送信された第２の応答を受信する第２の応答受信手段と、
前記第１の応答受信手段によって第１の応答が受信された時刻に前記第１の応答受信手段によって受信された有効期限を加算した時刻までに、前記第２の応答受信手段によって前記ターゲット端末装置から送信された第２の応答が受信された場合、前記制御要求は有効であると判断する要求制御手段とを有する
ことを特徴とするリモートコントローラ端末装置。
【請求項６】
有効期限が含まれた制御要求を受信し、その有効期限内の所要時間でその制御要求に従った制御動作を行い、前記有効期限内の所要時間で前記制御動作を行う旨の情報が含まれた第１の応答を送信し、第２の応答を送信するターゲット端末装置と通信回線を介して接続されたリモートコントローラ端末装置であって、
前記有効期限が含まれた制御要求を前記ターゲット端末装置に送信する要求送信手段と、
前記ターゲット端末装置から送信された有効期限内の所要時間で前記制御動作を行う旨の情報が含まれた第１の応答を受信する第１の応答受信手段と、
前記ターゲット端末装置から送信された第２の応答を受信する第２の応答受信手段と、
前記第１の応答受信手段によって第１の応答が受信された時刻に前記有効期限を加算した時刻までに、前記第２の応答受信手段によって前記ターゲット端末装置から送信された第２の応答が受信された場合、前記制御要求は有効であると判断する要求制御手段とを有する
ことを特徴とするリモートコントローラ端末装置。
【請求項７】
前記制御要求は、前記ターゲット端末装置の状態問合せである
ことを特徴とする請求項６に記載のリモートコントローラ端末装置。
【請求項８】
制御要求を送信し、待機時間が含まれた応答を受信し、前記応答が受信された時刻に前記待機時間を加算した時刻以後、前記制御要求を送信するリモートコントローラ端末装置と通信回線を介して接続されたターゲット端末装置であって、
前記リモートコントローラ端末装置から送信された制御要求を受信する要求受信手段と、
前記要求受信手段によって受信された制御要求に従った制御動作を行って待機時間が含まれた応答を作成する制御処理手段と、
前記制御処理手段によって作成された応答を前記リモートコントローラ端末装置に送信する応答送信手段とを有する
ことを特徴とするターゲット端末装置。
【請求項９】
前記制御処理手段は、前記待機時間を自装置が実行中の前記制御動作の多寡に依存して算出することを特徴とする請求項８に記載のターゲット端末装置。
【請求項１０】
制御要求を送信し、有効期限が含まれた第１の応答を受信し、前記第１の応答が受信された時刻から、その時刻に前記有効期限を加算した時刻までの間に第２の応答が受信された場合、前記制御要求は有効であると判断するリモートコントローラ端末装置と通信回線を介して接続されたターゲット端末装置であって、
前記リモートコントローラ端末装置から送信された制御要求を受信する要求受信手段と、
前記要求受信手段によって受信された制御要求に従った制御動作を行い、かつ、前記制御動作に依存する時間が有効期限として含まれた第１の応答を作成し、かつ、第２の応答を作成する制御処理手段と、
前記制御処理手段によって作成された第１の応答を前記リモートコントローラ端末装置に送信する第１の応答送信手段と、
前記制御処理手段によって作成された第２の応答を前記リモートコントローラ端末装置に送信する第２の応答送信手段とを有する
ことを特徴とするターゲット端末装置。
【請求項１１】
前記制御要求は、前記ターゲット端末装置の状態問合せである
ことを特徴とする請求項１０に記載のターゲット端末装置。
【請求項１２】
前記制御処理手段は、前記有効期限を前記制御処理手段が前記制御動作に要する時間として算出する
ことを特徴とする請求項１０に記載のターゲット端末装置。
【請求項１３】
有効期限が含まれた制御要求を送信し、前記有効期限内の所要時間で前記制御要求に従った制御動作を行う旨の情報が含まれた第１の応答を受信し、前記第１の応答が受信された時刻から、その時刻に前記有効期限を加算した時刻までの間に第２の応答が受信された場合、前記制御要求は有効であると判断するリモートコントローラ端末装置と通信回線を介して接続されたターゲット端末装置であって、
前記リモートコントローラ端末装置から送信された有効期限が含まれた制御要求を受信する要求受信手段と、
前記要求受信手段によって受信された制御要求に従った制御動作を前記要求受信手段によって受信された有効期限以内の所要時間で行い、かつ、前記有効期限内の所要時間で前記制御動作を行う旨の情報が含まれた第１の応答を作成し、かつ、第２の応答を作成する制御処理手段と、
前記制御処理手段によって作成された第１の応答を前記リモートコントローラ端末装置に送信する第１の応答送信手段と、
前記制御処理手段によって作成された第２の応答を前記リモートコントローラ端末装置に送信する第２の応答送信手段とを有する
ことを特徴とするターゲット端末装置。
【発明の詳細な説明】
【技術分野】
【０００１】
本発明は、通信システム、リモートコントローラ端末装置及びターゲット端末装置に係り、特に不要な通信を削減する処理に関する。
【背景技術】
【０００２】
制御を要求する装置（以後、リモートコントローラ端末装置と称する。）と、要求された制御を処理する装置（以後、ターゲット端末装置と称する。）とが通信網を介して接続された通信システムが知られている。ここで、ターゲット端末装置の一例として、テレビ受像機や、オーディオプレーヤーなどがある。また、上記通信網は、有線方式でも良く、また、無線方式でも良い。ブルートゥース（登録商標。Bluetooth）方式による近距離無線通信網でも良い。
【０００３】
この通信システムにおいて、リモートコントローラ端末装置が一方的にターゲット端末装置に制御を要求する通信を行う場合、ターゲット端末装置の処理能力に限界があることによって、または、通信網に輻輳が生じることによって、ターゲット端末装置はその要求に応じることができない可能性がある。その場合、リモートコントローラ端末装置は、上記要求が通信網の障害によって伝送されなかったとみなして再送し、ターゲット端末装置に更に大きな処理が要求され、また、通信網に更に大きな輻輳が生じる可能性がある。
【０００４】
そこで、ターゲット端末装置は、自装置からリモートコントローラ端末装置にデータを送信する時刻を決定して、その時刻をリモートコントローラ端末装置に送信し、その時刻に通信することによって、上記輻輳の発生を回避する処理が知られている（例えば、特許文献１参照。）。
【特許文献１】特開平８−１８５８１号公報（第２頁、図４）
【発明の開示】
【発明が解決しようとする課題】
【０００５】
しかしながら、上述した特許文献１に開示されている方法では、リモートコントローラ端末装置は、短い待ち時間でターゲット端末装置に異なる要求を実行させることができない問題点があった。
【０００６】
本発明は、上記問題点を解決するためになされたもので、ターゲット端末装置は、要求を受信した後、次に異なる要求の受信が可能となるまでの時間、または、受信された要求に対する応答を送信するまでの時間を送信し、リモートコントローラ端末装置は、それらの時間を参照して次の要求を送信するか否かを決定する通信システム、リモートコントローラ端末装置及びターゲット端末装置を提供することを目的とする。
【課題を解決するための手段】
【０００７】
上記目的を達成するために、本発明の通信システムは、ターゲット端末装置と、前記ターゲット端末装置を制御するリモートコントローラ端末装置とが通信回線を介して接続された通信システムであって、前記ターゲット端末装置は、前記リモートコントローラ端末装置から送信された制御要求を受信する要求受信手段と、前記要求受信手段によって受信された制御要求に従った制御動作を行って待機時間が含まれた応答を作成する制御処理手段と、前記制御処理手段によって作成された応答を前記リモートコントローラ端末装置に送信する応答送信手段とを有し、前記リモートコントローラ端末装置は、前記制御要求を前記ターゲット端末装置に送信する要求送信手段と、前記ターゲット端末装置から送信された待機時間が含まれた応答を受信する応答受信手段と、前記応答受信手段によって応答が受信された時刻に前記応答受信手段によって受信された待機時間を加算した時刻以後、前記制御要求を前記ターゲット端末装置に送信する制御を行う要求制御手段とを有することを特徴とする。
【０００８】
また、本発明の通信システムは、ターゲット端末装置と、前記ターゲット端末装置を制御するリモートコントローラ端末装置とが通信回線を介して接続された通信システムであって、前記ターゲット端末装置は、前記リモートコントローラ端末装置から送信された制御要求を受信する要求受信手段と、前記要求受信手段によって受信された制御要求に従った制御動作を行い、かつ、前記制御動作に依存する時間が有効期限として含まれた第１の応答を作成し、かつ、第２の応答を作成する制御処理手段と、前記制御処理手段によって作成された第１の応答を前記リモートコントローラ端末装置に送信する第１の応答送信手段と、前記制御処理手段によって作成された第２の応答を前記リモートコントローラ端末装置に送信する第２の応答送信手段とを有し、前記リモートコントローラ端末装置は、前記制御要求を前記ターゲット端末装置に送信する要求送信手段と、前記ターゲット端末装置から送信された有効期限が含まれた第１の応答を受信する第１の応答受信手段と、前記ターゲット端末装置から送信された第２の応答を受信する第２の応答受信手段と、前記第１の応答受信手段によって第１の応答が受信された時刻に前記第１の応答受信手段によって受信された有効期限を加算した時刻までに、前記第２の応答受信手段によって前記ターゲット端末装置から送信された第２の応答が受信された場合、前記制御要求は有効であると判断する要求制御手段とを有することを特徴とする。
【０００９】
また、本発明の通信システムは、ターゲット端末装置と、前記ターゲット端末装置を制御するリモートコントローラ端末装置とが通信回線を介して接続された通信システムであって、前記ターゲット端末装置は、前記リモートコントローラ端末装置から送信された有効期限が含まれた制御要求を受信する要求受信手段と、前記要求受信手段によって受信された制御要求に従った制御動作を前記要求受信手段によって受信された有効期限以内の所要時間で行い、かつ、前記有効期限内の所要時間で前記制御動作を行う旨の情報が含まれた第１の応答を作成し、かつ、第２の応答を作成する制御処理手段と、前記制御処理手段によって作成された第１の応答を前記リモートコントローラ端末装置に送信する第１の応答送信手段と、前記制御処理手段によって作成された第２の応答を前記リモートコントローラ端末装置に送信する第２の応答送信手段とを有し、前記リモートコントローラ端末装置は、前記有効期限が含まれた制御要求を前記ターゲット端末装置に送信する要求送信手段と、前記ターゲット端末装置から送信された有効期限内の所要時間で前記制御動作を行う旨の情報が含まれた第１の応答を受信する第１の応答受信手段と、前記ターゲット端末装置から送信された第２の応答を受信する第２の応答受信手段と、前記第１の応答受信手段によって第１の応答が受信された時刻に前記有効期限を加算した時刻までに、前記第２の応答受信手段によって前記ターゲット端末装置から送信された第２の応答が受信された場合、前記制御要求は有効であると判断する要求制御手段とを有することを特徴とする。
【発明の効果】
【００１０】
本発明によれば、ターゲット端末装置は、要求を受信した後、次に要求の受信が可能となるまでの時間、または、要求に対する応答を送信するまでの時間を送信し、リモートコントローラ端末装置は、その時間を参照して次の要求を送信するか否かを決定する通信システム、リモートコントローラ端末装置及びターゲット端末装置を提供することができる。これによって、リモートコントローラ端末装置は、短い待ち時間でターゲット端末装置に要求を実行させることができる。
【発明を実施するための最良の形態】
【００１１】
以下に、本発明による通信システム、リモートコントローラ端末装置及びターゲット端末装置の実施の形態を、図面を参照して説明する。図１は、本発明の実施形態に係る通信システムの構成を示すブロック図である。
【００１２】
この通信システムは、本発明の実施形態に係るリモートコントローラ端末装置である移動通信端末装置１と、本発明の実施形態に係るターゲット端末装置２と、移動通信端末装置１とターゲット端末装置２とをブルートゥース（Ｒ）方式を用いて接続する近距離無線通信網３とからなる。移動通信端末装置１とターゲット端末装置２とは、それぞれ１台であっても良く、また、複数台であっても良い。また、近距離無線通信網３は、ブルートゥース（Ｒ）方式を用いると限るものではなく、無線ＬＡＮ方式を用いても良いし、赤外線通信方式を用いても良い。
【００１３】
図２は、移動通信端末装置１の構成を示すブロック図である。この移動通信端末装置１は、装置全体の制御を行う制御部１１と、基地局（図示せず）との間で電波の送受信を行うアンテナ１２ａと、通信部１２ｂと、送受信部１３と、スピーカ１４ａと、マイクロフォン１４ｂと、通話部１４ｃと、利用者からの操作指示を入力する入力装置１５と、利用者へ情報の提示を行う表示部１６と、近距離無線通信の電波の送受信を行うアンテナ２１ａと、近距離無線通信部２１ｂと、近距離無線送受信部２２と、近距離無線プロファイル処理部２３とからなる。
【００１４】
図３は、ターゲット端末装置２の構成を示すブロック図である。このターゲット端末装置２は、装置全体の制御を行う制御部３１と、近距離無線通信の電波の送受信を行うアンテナ３２ａと、近距離無線通信部３２ｂと、近距離無線送受信部３３と、近距離無線プロファイル処理部３４と、テレビチューナー部４１と、テレビ復調部４２と、スピーカ４３ａと、表示部４３ｂと、増幅部４３ｃと、符号化復号部４４と、コンテンツ記憶部取り付け部（図示せず）と、コンテンツ記憶部取り付け部に取り外し可能に取り付けられるコンテンツ記憶部４５と、ブラウザ部４６とからなる。
【００１５】
コンテンツ記憶部４５には、コンテンツ４５ａが記憶される。コンテンツ４５ａは、映像及び音声からなる情報であるが、これに限るものではない。映像情報であっても良く、音声情報であっても良い。更に、文字情報を含んでいても良い。また、コンテンツ４５ａは、符号化されたデジタル情報であっても良く、符号化されないデジタル情報であっても良く、更に、アナログ情報であっても良い。
【００１６】
上記のように構成された、本発明の実施形態に係る通信システムの各部の動作を、各図を参照して説明する。まず、移動通信端末装置１の各部の動作を、図２を参照して説明する。通信部１２ｂは、アンテナ１２ａを介して受信された高周波信号を送受信部１３に送信する。また、送受信部１３から出力される高周波信号をアンテナ１２ａに送信する。
【００１７】
送受信部１３は、通信部１２ｂからの高周波信号を増幅、周波数変換及び復調し、それによって得たデジタル音声信号を通話部１４ｃに送信し、また、制御信号を制御部１１に送信する。更には、通話部１４ｃから出力されるデジタル音声信号、及び制御部１１から出力される制御信号を変調、周波数変換及び増幅し、高周波信号を得て、それを通信部１２ｂに送信する。
【００１８】
通話部１４ｃは、送受信部１３から出力されるデジタル音声信号をアナログ音声信号に変換し、それを増幅してスピーカ１４ａに送る。また、マイクロフォン１４ｂが出力するアナログ音声信号を増幅し、それをデジタル音声信号に変換して送受信部１３へ送信する。
【００１９】
入力装置１５は、通信相手の電話番号を指定するための数字キーと、ターゲット端末装置２に対する要求を指定するための複数の機能キーを含むキーからなり、入力装置１５のキーが操作されると、そのキー識別子が制御部１１に通知され、制御部１１によって、表示部１６に文字や数字として表示され、また、装置の各部が制御される。
【００２０】
表示部１６は、例えばＬＣＤの表示部であり、制御部１１に制御されることで、文字・数字や画像データの表示動作を行い、表示されているデータは、入力装置１５からの入力操作や着信信号に応答し、また、近距離無線プロファイル処理部２３からの指示や、制御部１１からの指示を受けることで切換わる。
【００２１】
次に、近距離無線通信部２１ｂは、アンテナ２１ａを介して近距離無線通信網３から受信された近距離無線高周波信号を近距離無線送受信部２２に送信する。また、近距離無線送受信部２２から出力される高周波信号をアンテナ２１ａを介して近距離無線通信網３に送信する。
【００２２】
近距離無線送受信部２２は、近距離無線通信部２１ｂからの高周波信号を増幅、周波数変換及び復調し、それによって得たＡＶＲＣＰ（Audio/Video Remote Control Profile）プロファイルに従ったデジタル信号を近距離無線プロファイル処理部２３に送信する。更には、近距離無線プロファイル処理部２３から出力されるＡＶＲＣＰプロファイルに従ったデジタル信号を変調、周波数変換及び増幅し、高周波信号を得て、それを近距離無線通信部２１ｂに送信する。
【００２３】
近距離無線プロファイル処理部２３は、近距離無線通信網３を経由してターゲット端末装置２に信号を送ることにより、ターゲット端末装置２を制御する装置であり、その動作は後述する。
【００２４】
次に、ターゲット端末装置２の各部の動作を、図３を参照して説明する。近距離無線通信部３２ｂは、アンテナ３２ａを介して近距離無線通信網３から受信された近距離無線高周波信号を近距離無線送受信部３３に送信する。また、近距離無線送受信部３３から出力される高周波信号をアンテナ３２ａを介して近距離無線通信網３に送信する。
【００２５】
近距離無線送受信部３３は、近距離無線通信部３２ｂからの高周波信号を増幅、周波数変換及び復調し、それによって得たＡＶＲＣＰプロファイルに従ったデジタル信号を近距離無線プロファイル処理部３４に送信し、また、制御信号を制御部３１に送信する。更には、近距離無線プロファイル処理部３４から出力されるＡＶＲＣＰプロファイルに従ったデジタル信号、及び制御部３１から出力される制御信号を変調、周波数変換及び増幅し、高周波信号を得て、それを近距離無線通信部３２ｂに送信する。
【００２６】
近距離無線プロファイル処理部３４は、近距離無線通信網３を経由して移動通信端末装置１から送信された信号を受信することにより、ターゲット端末装置２の各部の動作を制御する装置であり、その動作は後述する。
【００２７】
テレビチューナー部４１は、テレビアンテナ端子（図示せず）から受信されたテレビ高周波信号から指定されたチャンネルの信号を選択し、選択された信号をテレビ復調部４２に送信する。テレビ復調部４２は、テレビチューナー部４１から送信された信号を復調し、映像信号及び音声信号を作成し、それらの信号を増幅部４３ｃに送信する。
【００２８】
増幅部４３ｃは、テレビ復調部４２から、または、符号化復号部４４から送信された映像信号及び音声信号を増幅し、それぞれの信号を表示部４３ｂに表示させ、また、スピーカ４３ａから発音させる。
【００２９】
符号化復号部４４は、テレビ復調部４２から送信された映像信号及び音声信号を受信してそれらの信号を符号化する。そして、符号化された映像信号及び音声信号をコンテンツ記憶部４５にコンテンツ４５ａとして格納する。また、符号化復号部４４は、コンテンツ記憶部４５に記憶された符号化された映像信号及び音声信号からなるコンテンツ４５ａを読み出して、それらの信号を復号する。そして、復号された映像信号及び音声信号を増幅部４３ｃに送信する。
【００３０】
コンテンツ記憶部取り付け部は、コンテンツ記憶部取り付け部にコンテンツ記憶部４５が取り付けられているか否か、また、取り付けの途中であるか、更には、取り付けの途中である場合、取り付けが完了するまでに必要と予測される時間をコンテンツ記憶部取り付け状態信号４５ｂとして送信する。
【００３１】
ブラウザ部４６は、インターネット接続部（図示せず）を経由して接続されたインターネットのウェブサイトにアクセスし、得られた情報を表示部４３ｂに表示し、また、得られた情報をスピーカ４３ａから発音する。
【００３２】
次に、移動通信端末装置１の近距離無線プロファイル処理部２３及びターゲット端末装置２の近距離無線プロファイル処理部３４の動作を説明することにより、移動通信端末装置１がターゲット端末装置２を制御する動作を説明する。
【００３３】
図４は、近距離無線プロファイル処理部２３の動作のフローチャートを示す。近距離無線プロファイル処理部２３は、入力装置１５の所定にキーの操作に基づき、制御部１１からターゲット端末装置２に対する要求を引数に起動されて動作を開始する（ステップＳ２３ａ）。そして、動作を開始した時点の時刻が、後述する近距離無線プロファイル処理部２３内に記憶された待機時間帯の範囲内であるか範囲外であるかを調べる（ステップＳ２３ｂ）。待機時間帯については、後述する。
【００３４】
待機時間帯の範囲内である場合、近距離無線プロファイル処理部２３は、待機時間帯の範囲内であることを返り値に動作を終了する（ステップＳ２３ｃ）。そして、制御部１１は、待機時間帯の範囲内である旨を表示部１６に表示させ、または、スピーカ１４ａから発音させる。
【００３５】
または、待機時間帯の範囲内である場合、近距離無線プロファイル処理部２３は、待機時間帯の範囲内であることを制御部１１に通知し、待機時間帯を過ぎるまで動作を中断し、待機時間帯を過ぎた際に動作を再開しても良い。そして、制御部１１は、上記通知を受信して、待機時間帯の範囲内である旨を表示部１６に表示しても良い。
【００３６】
これらの待機時間帯の範囲内である場合の処理によって、移動通信端末装置１は、ターゲット端末装置２の処理能力を超える頻度でターゲット端末装置２に要求を送信することを避けることができる。
【００３７】
待機時間帯の範囲外である場合、近距離無線プロファイル処理部２３は、引数として与えられた要求に基づいたコマンドを、近距離無線送受信部２２を制御してターゲット端末装置２に送信する。この際、そのコマンドと、そのコマンドに対応する応答とからなるセッションを識別するためのラベルを付加する（ステップＳ２３ｄ）。なお、上記要求の送信に対して、後述する有効期限が付加された中間応答を受信する場合、上記コマンドの送信に有効期限を付加して送信しても良い。
【００３８】
続いて、近距離無線プロファイル処理部２３は、近距離無線送受信部２２を経由して、ターゲット端末装置２から上記コマンドに対応して送信された第１の応答、即ち、即時応答（Immediate transaction）を受信する。この際、いずれのセッションに属する応答であるかを識別するため、上記応答には、上記コマンドに付加されていたラベルが付加されている（ステップＳ２３ｅ）。
【００３９】
ここで、即時応答は、非実装応答（Not implemented）と、容認応答（Accepted）と、拒絶応答（Rejected）と、中間応答（Interim response）とのいずれか１つであり、これらの応答には待機時間が付加されている。ここで、待機時間は、上記応答を受信の後、次にコマンドを送信するまでにおくべき時間を表す。
【００４０】
続いて、近距離無線プロファイル処理部２３は、この時の時刻と、この時の時刻に上記待機時間を加算した時刻との間の時間帯を、待機時間帯として近距離無線プロファイル処理部２３内に記憶する（ステップＳ２３ｆ）。
【００４１】
次に、近距離無線プロファイル処理部２３は、上記受信された応答が中間応答であるか否かを調べる（ステップＳ２３ｇ）。応答が中間応答である場合、その中間応答を受信した後、その中間応答に付加された有効期限内に上記コマンドに対応して送信された第２の応答、即ち、遅延応答（Deferred transaction）を受信したか否かを調べる（ステップＳ２３ｈ）。
【００４２】
ここで、遅延応答は、容認応答と、拒絶応答と、変更通知（Changed）とのいずれか１つであり、これらの応答には待機時間が付加されている。また、いずれのセッションに属する応答であるかを識別するため、上記応答には、上記コマンドに付加されていたラベルが付加されている。
【００４３】
有効期限内に遅延応答を受信した場合、近距離無線プロファイル処理部２３は、ステップＳ２３ｄで送信されたコマンドは有効である、即ち、そのコマンドはターゲット端末装置２によって有効に処理されたと判断して、この時の時刻と、この時の時刻に上記待機時間を加算した時刻との間の時間帯を、待機時間帯として近距離無線プロファイル処理部２３内に記憶する（ステップＳ２３ｉ）。そして、ステップＳ２３ｈで受信した応答を返り値に動作を終了する（ステップＳ２３ｂ）。そして、制御部１１は、上記応答を示す情報を表示部１６に表示させ、または、スピーカ１４ａから発音させる。
【００４４】
ステップＳ２３ｈで、有効期限内に遅延応答を受信しない場合、近距離無線プロファイル処理部２３は、ステップＳ２３ｄで送信されたコマンドは無効であると判断する。即ち、そのコマンドに従ってターゲット端末装置２を制御することはできなかったと判断する。そして、上記コマンドは無効である旨を返り値に動作を終了する（ステップＳ２３ｂ）。そして、制御部１１は、上記コマンドは無効である旨を示す情報を表示部１６に表示させ、または、スピーカ１４ａから発音させる。
【００４５】
この有効期限内に遅延応答を受信しない場合の処理によって、例えば、ターゲット端末装置２の電源が切断されることによってターゲット端末装置２が遅延応答を送信しない場合、移動通信端末装置１は、上記送信されない遅延応答を無期限に待つことがない。また、移動通信端末装置１とターゲット端末装置２との間に障害物が移動され、近距離無線通信網３の通信に障害が発生した場合、移動通信端末装置１は、その障害によって受信することができない遅延応答を無期限に待つことがない。そして、移動通信端末装置１は、改めてコマンドを送信することもできる。
【００４６】
更に、ステップＳ２３ｄで送信するコマンドに有効期限を付加することによって、移動通信端末装置１は、上記コマンドを送信してから、そのコマンドは有効であるか無効であるかを判断するまでの時間を決定することができる。
【００４７】
ステップＳ２３ｇで、応答が中間応答以外である場合、即ち、その応答が非実装応答か、拒絶応答である場合、近距離無線プロファイル処理部２３は、ステップＳ２３ｅで受信した応答を返り値に動作を終了する（ステップＳ２３ｂ）。そして、制御部１１は、上記応答を示す情報を表示部１６に表示させ、または、スピーカ１４ａから発音させる。
【００４８】
なお、以上の説明で、近距離無線プロファイル処理部２３は、ステップＳ２３ｆとステップＳ２３ｉとで、その時の時刻と、その時の時刻に上記待機時間を加算した時刻との間の時間帯を、待機時間帯として近距離無線プロファイル処理部２３内に記憶するとしたが、これに限るものではない。
【００４９】
例えば、その時の時刻に上記待機時間を加算した時刻に代えて、その時の時刻に、上記待機時間と所定時間との２つの値のうち、小さい値を加算した時刻を用いても良い。また、応答に上記待機時間が付加されていない場合、その時の時刻と、その時の時刻に所定時間を加算した時刻との間を待機時間帯として記憶しても良い。
【００５０】
また、近距離無線プロファイル処理部２３は、ステップＳ２３ｈで、有効期限内に遅延応答を受信したか否かを調べるとしたが、これに限るものではない。例えば、有効期限と所定期限との２つの期限のうち、小さい値の期限内に遅延応答を受信したか否かを調べるとしても良い。更に、ステップＳ２３ｅで受信された即時応答に有効期限が付加されていない場合、所定期限内に遅延応答を受信したか否かを調べる。
【００５１】
図５は、ターゲット端末装置２の近距離無線プロファイル処理部３４の動作のフローチャートを示す。近距離無線プロファイル処理部３４は、移動通信端末装置１から送信されたコマンドが受信されると、制御部３１がそのコマンドを引数に起動することにより動作を開始する（ステップＳ３４ａ）。そして、そのコマンドに対応してターゲット端末装置２の各部に制御動作を行わせ、所定時間内、例えば、１００ｍｓ以内に即時応答を近距離無線送受信部３３を経由して、移動通信端末装置１に送信する（ステップＳ３４ｂ）。
【００５２】
近距離無線プロファイル処理部３４は、この即時応答に待機時間を付加する。付加する待機時間の値は、ターゲット端末装置２の各部の処理動作が高速であるか低速であるか、近距離無線プロファイル処理部３４が処理中のセッションの多寡、また、それらのセッションに属するコマンドの処理に必要な負荷量によって決定する。
【００５３】
また、この即時応答が中間応答である場合、近距離無線プロファイル処理部３４は、この応答に有効期限を付加する。付加する有効期限の値は、上記コマンドに対応する遅延応答を送信する時刻までの時間を予想して決定する。また、引数として与えられたコマンドに有効期限が付加されていた場合、付加されていた有効期限内に遅延応答を送信するものとして、コマンドに付加されていた有効期限を中間応答に付加する。
【００５４】
そして、上記コマンドに対して更に遅延応答が必要であるか、即ち、ステップＳ３４ｂで送信した即時応答が中間応答であるか否かを判断し（ステップＳ３４ｃ）、遅延応答が必要である場合、近距離無線プロファイル処理部３４は、更に、ターゲット端末装置２の各部に制御動作を行わせて、その処理が終了すると、その処理の成否に係わらず、遅延応答を移動通信端末装置１に送信して（ステップＳ３４ｄ）、動作を終了する（ステップＳ３４ｅ）。ステップＳ３４ｃで、遅延応答が不要である場合、近距離無線プロファイル処理部３４は、動作を終了する（ステップＳ３４ｅ）。
【００５５】
ここで、移動通信端末装置１が送信するコマンドと、そのコマンドに対してターゲット端末装置２が送信する応答の組を例示する。
【００５６】
第１に、移動通信端末装置１が送信するコマンドがビデオ撮影であって、ターゲット端末装置２は、ビデオ撮影部を有していないため、非実装応答の即時応答を送信する。第２に、移動通信端末装置１が送信するコマンドが指定されたチャンネルを選択することであって、ターゲット端末装置２は、テレビチューナー部４１を制御して指定されたチャンネルを選択させて、容認応答の即時応答を送信する。
【００５７】
第３に、移動通信端末装置１が送信するコマンドがコンテンツ４５ａの再生であって、コンテンツ記憶部取り付け部から送信されるコンテンツ記憶部取り付け状態信号４５ｂがコンテンツ記憶部４５が取り外されている旨の信号である場合、ターゲット端末装置２は、拒絶応答の即時応答を送信する。
【００５８】
第４に、移動通信端末装置１が送信するコマンドがコンテンツ４５ａの再生であって、コンテンツ記憶部取り付け部から送信されるコンテンツ記憶部取り付け状態信号４５ｂがコンテンツ記憶部４５が取り付けの途中である旨の信号である場合、ターゲット端末装置２は、中間応答を送信する。この中間応答に付加する有効期限の値は、上記コンテンツ記憶部取り付け状態信号４５ｂが示すコンテンツ記憶部４５の取り付けが完了するまでにかかる時間とする。
【００５９】
そして、コンテンツ記憶部４５の取り付けが完了し、即ち、コンテンツ記憶部取り付け状態信号４５ｂがコンテンツ記憶部４５が取り付けられている旨の信号となり、かつ、コンテンツ４５ａの読み出しが可能となった場合、ターゲット端末装置２は、コンテンツ４５ａを再生させて、容認応答の遅延応答を送信する。
【００６０】
第５に、移動通信端末装置１が送信するコマンドがコンテンツ４５ａの再生であって、コンテンツ記憶部取り付け部から送信されるコンテンツ記憶部取り付け状態信号４５ｂがコンテンツ記憶部４５が取り付けの途中である旨の信号である場合、ターゲット端末装置２は、中間応答を送信する。この中間応答に付加する有効期限の値は、上記コンテンツ記憶部取り付け状態信号４５ｂが示すコンテンツ記憶部４５の取り付けが完了するまでにかかる時間とする。
【００６１】
そして、コンテンツ記憶部４５の取り付けが完了し、即ち、コンテンツ記憶部取り付け状態信号４５ｂがコンテンツ記憶部４５が取り付けられている旨の信号となり、かつ、コンテンツ記憶部４５にはコンテンツ４５ａが記憶されていない場合、ターゲット端末装置２は、拒絶応答の遅延応答を送信する。
【００６２】
第６に、移動通信端末装置１が送信するコマンドが指定された２つの時刻の間、テレビ復調部４２によって復調された映像信号及び音声信号をコンテンツ４５ａとしてコンテンツ記憶部４５に記憶することであって、ターゲット端末装置２は、中間応答を送信する。この中間応答に付加する有効期限の値は、上記コマンドが受信された時刻と、上記記憶が開始される時刻との差である。または、上記コマンドが受信された時刻と、上記記憶が終了される時刻との差である。
【００６３】
そして、上記有効期限が記憶が開始される時刻から算出された場合、その記憶を開始した時刻に、また、上記有効期限が記憶が終了される時刻から算出された場合、その記憶を終了した時刻に、ターゲット端末装置２は、容認応答の遅延応答を送信する。
【００６４】
第７に、移動通信端末装置１が送信するコマンドが指定された２つの時刻の間、テレビ復調部４２によって復調された映像信号及び音声信号をコンテンツ４５ａとしてコンテンツ記憶部４５に記憶することであって、ターゲット端末装置２は、容認応答の即時応答を送信する。この例は、移動通信端末装置１が送信するコマンドは第６の例と同一であるが、ターゲット端末装置２が送信する応答が異なる例である。
【００６５】
第８に、移動通信端末装置１が送信するコマンドが、ターゲット端末装置２の状態問合せ（Notify）であって、ターゲット端末装置２は、そのコマンドに対して中間応答を送信し、そして、自装置の状態が変化した際に変更通知の遅延応答を送信する。状態の変化として、例えば、映像信号及び音声信号をコンテンツ記憶部４５に記憶することの開始がある。また、映像信号及び音声信号をコンテンツ記憶部４５に記憶することの終了がある。
【００６６】
第９に、移動通信端末装置１が送信するコマンドがブラウザ部４６によるインターネットへのアクセスであって、ターゲット端末装置２は、ブラウザ部４６に設定されたインターネットアクセスのタイムアウト時間長（この時間長に渡ってアクセスを試みてもアクセスできない場合、アクセスを断念する時間長。）を有効期限として中間応答を送信する。そして、タイムアウト時間長以内にアクセスができた場合、容認応答の遅延応答を送信し、タイムアウト時間長以内にアクセスができなかった場合、拒絶応答の遅延応答を送信する。
【００６７】
第１０に、移動通信端末装置１が送信するコマンドがブラウザ部４６によるインターネットへのアクセスであり、タイムアウト時間長を有効期限として付加されたものであって、ターゲット端末装置２は、有効期限をインターネットアクセスのタイムアウト時間長としてブラウザ部４６内に設定し、中間応答を送信する。その際、受信された有効期限を中間応答の有効期限として付加し、受信された有効期限を了解した旨を示す。そして、タイムアウト時間長以内にアクセスができた場合、容認応答の遅延応答を送信し、タイムアウト時間長以内にアクセスができなかった場合、拒絶応答の遅延応答を送信する。
【００６８】
第１１に、移動通信端末装置１が送信するコマンドがコンテンツ記憶部４５のフォーマッティングであって、ターゲット端末装置２は、そのフォーマッティングに必要とされる時間を予測して、その時間を有効期限として中間応答を送信する。そして、その時間内にフォーマッティングが完了した場合、容認応答の遅延応答を送信し、その時間内にフォーマッティングが完了しなかった場合、拒絶応答の遅延応答を送信する。
【００６９】
第１２に、ターゲット端末装置２が移動通信端末装置１によって送信されたコマンドを受信した際、ターゲット端末装置２の電源が投入された直後であって、その装置の各部が動作の準備段階である場合、ターゲット端末装置２は、中間応答を送信し、そして、その装置の各部が動作する段階になった際、容認応答、または、拒絶応答の遅延応答を送信する。
【００７０】
第１３に、ターゲット端末装置２が移動通信端末装置１によって送信されたコマンドを受信した際、ターゲット端末装置２が処理中のセッションの数が所定値を超える場合、ターゲット端末装置２は、拒絶応答の即時応答を送信する。なお、ターゲット端末装置２が処理中のセッションの数は、１台の移動通信端末装置１によって送信されたコマンドによって開始されたセッションの数に限らない。複数の移動通信端末装置１によって送信されたコマンドによって開始されたセッションの数の合計値であっても良い。
【００７１】
第１４に、移動通信端末装置１が既に送信し、かつ、遅延応答の受信待ちであるコマンドの数が所定数以上である場合、移動通信端末装置１は、短い有効期限を付加してコマンドを送信する。この処理によって、移動通信端末装置１は、所定数以上のセッションの処理を行う時間を短くすることができる。
【００７２】
上記のように構成された、本発明の実施形態に係わる通信システムの動作を、状態問合せコマンドの処理を例にとり、図６〜図８を参照して説明する。図６は、本発明の実施形態に係わる通信システムの動作のシーケンスの第１の例を示す。この通信システムの動作は、移動通信端末装置１の近距離無線プロファイル処理部２３が状態問合せコマンドに第１のラベルを付加して、ターゲット端末装置２の近距離無線プロファイル処理部３４に送信することによって開始される（ステップＳ５１ａ）。
【００７３】
上記コマンドに対して、近距離無線プロファイル処理部３４は、即時応答を近距離無線プロファイル処理部２３に送信する。この即時応答には、この応答が上記コマンドに対応する、即ち、そのコマンドによって開始されたセッションに属するものであることを識別するため、上記コマンドに付加されていた第１のラベルが付加されており、かつ待機時間が付加されている（ステップＳ５１ｂ）。
【００７４】
続いて、近距離無線プロファイル処理部２３は、上記待機時間と、所定時間との最小値を求め、その最小値の時間の待ちを行う（ステップＳ５１ｃ）。そして、その待ちの後、ステップＳ５１ａで送信したコマンドとは異なる状態問合せコマンドを送信しても良い（ステップＳ５１ｄ）。ここで、この異なるコマンドには、第２のラベルを付加することによって、ステップＳ５１ａで送信したコマンドとは異なるセッションに属するコマンドであることが識別される。
【００７５】
ステップＳ５１ｂで送信した即時応答が中間応答である場合、近距離無線プロファイル処理部３４は、ステップＳ５１ａで受信したコマンドに対して、待機時間が付加された遅延応答を送信する。この遅延応答には、この応答がステップS５１ａで受信されたコマンドに対応する、即ち、そのコマンドによって開始されたセッションに属するものであることを識別するため、上記コマンドに付加されていた第１のラベルが付加されている（ステップＳ５１ｅ）。
【００７６】
続いて、近距離無線プロファイル処理部２３は、上記待機時間と、所定時間との最小値を求め、その最小値の時間の待ちを行う（ステップＳ５１ｆ）。そして、その待ちの後、ステップＳ５１ａで送信したコマンドとは異なる状態問合せコマンドを送信しても良い（ステップＳ５１ｇ）。ここで、この異なるコマンドには、第３のラベルを付加することによって、ステップＳ５１ａで送信したコマンドとは異なるセッションに属するコマンドであることが識別される。
【００７７】
なお、ステップＳ５１ｂで送信した即時応答が拒絶応答である場合、近距離無線プロファイル処理部３４は、ステップＳ５１ｅで説明した遅延応答を送信しない。その結果、移動通信端末装置１は、ステップＳ５１ｆで説明した待ちを行わない。
【００７８】
図７は、本発明の実施形態に係わる通信システムの動作のシーケンスの第２の例を示す。この第２の例は、近距離無線プロファイル処理部３４は、中間応答に有効期限を付加して送信する例であって、図６に示す第１の例と共通な動作には同じ符号を付して、説明を省略する。
【００７９】
ステップＳ５１ａで受信したコマンドに対して、近距離無線プロファイル処理部３４は、有効期限が付加された中間応答を送信する。この中間応答には、この応答が上記コマンドに対応するものであることを識別するため、上記コマンドに付加されていた第１のラベルが付加されている（ステップＳ５２ｂ）。なお、この中間応答には、図６に示す第１の例と同様に、待機時間が付加されていても良い。
【００８０】
続いて、近距離無線プロファイル処理部２３は、上記有効期限と、所定期限との最小値を求め、その最小値の時間の待ちを行う。そして、その待ちの間に近距離無線プロファイル処理部３４から遅延応答を受信しない場合、ステップＳ５１ａで送信したコマンドは無効であるとみなす（ステップＳ５２ｃ）。そして、その待ちの後、上記遅延応答を待つことなく、ステップＳ５１ｄの動作で説明した、ステップＳ５１ａで送信したコマンドとは異なる状態問合せコマンドを送信しても良い。
【００８１】
図８は、本発明の実施形態に係わる通信システムの動作のシーケンスの第３の例を示す。この第３の例は、近距離無線プロファイル処理部２３は、コマンドに有効期限を付加して送信する例である。この通信システムの動作は、移動通信端末装置１の近距離無線プロファイル処理部２３が状態問合せコマンドに第１のラベル、及び、有効期限を付加して、ターゲット端末装置２の近距離無線プロファイル処理部３４に送信することによって開始される（ステップＳ５３ａ）。
【００８２】
上記コマンドに対して、近距離無線プロファイル処理部３４は、即時応答を近距離無線プロファイル処理部２３に送信する。この即時応答には、この応答が上記コマンドに対応するものであることを識別するため、上記コマンドに付加されていた第１のラベルが付加されており、かつ、上記コマンドに付加されていた有効期限を了解した旨の情報が付加されている（ステップＳ５３ｂ）。なお、この中間応答には、図６に示す第１の例と同様に、待機時間が付加されていても良い。
【００８３】
続いて、近距離無線プロファイル処理部２３は、上記有効期限の経過を待ち（ステップＳ５３ｃ）、また、近距離無線プロファイル処理部３４は、ステップＳ５３ａで受信したコマンドに対する遅延応答を送信する前に上記有効期限を経過した場合（ステップＳ５３ｄ）、有効期限が満了した旨を表す拒絶応答を遅延応答として送信する（ステップＳ５３ｅ）。この応答には、ステップＳ５３ａで受信したコマンドに対応するものであることを識別するため、上記コマンドに付加されていた第１のラベルが付加されている。なお、この遅延応答には、図６に示す第１の例と同様に、待機時間が付加されていても良い。
【００８４】
近距離無線プロファイル処理部２３は、ステップＳ５３ｃの待ちの後、ステップＳ５３ｅで送信された遅延応答の受信の有無に係らず、ステップＳ５３ａで送信したコマンドは無効であるとみなす（ステップＳ５３ｆ）。そして、その待ちの後、上記遅延応答を待つことなく、ステップＳ５３ａで送信した要求とは異なる状態問合せコマンドを送信しても良い（ステップＳ５３ｇ）。ここで、この異なるコマンドには、第２のラベルを付加することによって、ステップＳ５３ａで送信したコマンドとは異なるセッションに属するコマンドであることが識別される。また、この異なるコマンドには、有効期限が付加されていなくとも良く、また、有効期限が付加されていても良い。
【００８５】
以上の説明では、リモートコントローラ端末装置は、移動通信端末装置１であるとしたが、これに限るものではない。携帯可能なＰＤＡ（Personal Digital Assistant）であっても良く、また、リモートコントロール専用の装置であっても良い。
【００８６】
また、以上の説明は、ターゲット端末装置２は、テレビ受像、及び、コンテンツ４５ａの録画と再生を行う装置であるとしたが、これに限るものではない。例えば、パソコンであっても良く、また、空調装置であっても良い。更に、その他の家電製品など、制御を処理するあらゆる装置であっても良い。本発明は以上の構成に限定されるものではなく、種々の変形が可能である。
【図面の簡単な説明】
【００８７】
【図１】本発明の実施形態に係る通信システムの構成を示すブロック図。
【図２】本発明の実施形態に係る移動通信端末装置の構成を示すブロック図。
【図３】本発明の実施形態に係るターゲット端末装置の構成を示すブロック図。
【図４】本発明の実施形態に係る移動通信端末装置の近距離無線プロファイル処理部の動作を示すフローチャート。
【図５】本発明の実施形態に係るターゲット端末装置の近距離無線プロファイル処理部の動作を示すフローチャート。
【図６】本発明の実施形態に係る通信システムの動作を示すシーケンス図（その１）。
【図７】本発明の実施形態に係る通信システムの動作を示すシーケンス図（その２）。
【図８】本発明の実施形態に係る通信システムの動作を示すシーケンス図（その３）。
【符号の説明】
【００８８】
１  移動通信端末装置
２  ターゲット端末装置
３  近距離無線通信網
１１  制御部
１４ａ  スピーカ
１５  入力装置
１６  表示部
２１ａ  アンテナ
２１ｂ  近距離無線通信部
２２  近距離無線送受信部
２３  近距離無線プロファイル処理部
３１  制御部
３２ａ  アンテナ
３２ｂ  近距離無線通信部
３３  近距離無線送受信部
３４  近距離無線プロファイル処理部
４１  テレビチューナー部
４２  テレビ復調部
４３ａ  スピーカ
４３ｂ  表示部
４３ｃ  増幅部
４４  符号化復号部
４５  コンテンツ記憶部
４５ａ  コンテンツ
４５ｂ  コンテンツ記憶部取り付け状態信号
４６  ブラウザ部
【図１】
2006238177.tif 000003
【図２】
2006238177.tif 000004
【図３】
2006238177.tif 000005
【図４】
2006238177.tif 000006
【図５】
2006238177.tif 000007
【図６】
2006238177.tif 000008
【図７】
2006238177.tif 000009
【図８】
2006238177.tif 000010